(57)【特許請求の範囲】
【請求項１】
移動端末がインスタントメッセージングサービスに基づいて複数のメッセージを表示するメッセージ表示方法であって、
複数のチャット参加者が参加するグループチャットウィンドウで区別して表示されるメッセージの特性に対応するメッセージを抽出するステップと、
前記グループチャットウィンドウのチャットヒストリーを維持して表示しながら前記抽出された少なくとも１つのメッセージを他のメッセージと区別してグループチャットウィンドウに表示するステップと、
を含み、
前記グループチャットウィンドウに表示するステップは、前記グループチャットウィンドウと区別されるワークスペースに抽出された少なくとも１つのメッセージを表示し、
前記メッセージの特性は、グループチャットウィンドウでメッセージに添付されたコンテンツの種類又はグループチャットウィンドウでメッセージの重要度を含み、
前記ワークスペースは、前記グループチャットウィンドウの一部の領域に位置するように設定されるか、前記グループチャットウィンドウをオーバーレイするように設定されるか、又は、ユーザのリクエストに応じて前記グループチャットウィンドウからアクセス可能なページに設定される、メッセージ表示方法。
【請求項２】
前記メッセージの特性は、前記複数のチャット参加者のうち指定されたチャット参加者を含み、
前記少なくとも１つのメッセージを抽出するステップは、前記指定されたチャット参加者のメッセージを抽出する、請求項１に記載のメッセージ表示方法。
【請求項３】
前記メッセージの特性は、前記グループチャットウィンドウでメッセージが表示された時点を含み、
前記少なくとも１つのメッセージを抽出するステップは、前記時点の以前又は以後に表示されたメッセージを抽出する、請求項１に記載のメッセージ表示方法。
【請求項４】
前記メッセージの特性は、前記グループチャットウィンドウでメッセージが表示された時間区間を含み、
前記少なくとも１つのメッセージを抽出するステップは、前記時間区間に表示されたメッセージを抽出する、請求項１に記載のメッセージ表示方法。
【請求項５】
前記グループチャットウィンドウに表示するステップは、前記抽出された少なくとも１つのメッセージの外形的な特徴を変更してグループチャットウィンドウに表示する、請求項１に記載のメッセージ表示方法。
【請求項６】
前記グループチャットウィンドウに表示するステップは、前記抽出された少なくとも１つのメッセージに下線、太字、斜体、文字の網かけ又は蛍光ペンの色を適用するか、又は抽出された少なくとも１つのメッセージのフォント、大きさ又は色を変更してチャットウィンドウに表示する、請求項５に記載のメッセージ表示方法。
【請求項７】
チャットサーバがインスタントメッセージングサービスに基づいて複数のメッセージを移動端末に送信して表示するメッセージ表示方法であって、
前記移動端末の複数のチャット参加者が参加するグループチャットウィンドウで区別して表示されるメッセージの特性を確認するステップと、
前記グループチャットウィンドウに表示された複数のメッセージのうち確認されたメッセージの特性を有する少なくとも１つのメッセージを抽出するステップと、
前記抽出された少なくとも１つのメッセージに関する情報を移動端末に送信するステップと、
を含み、
前記移動端末は、
前記グループチャットウィンドウのチャットヒストリーを維持しながら、前記グループチャットウィンドウと区別されるワークスペースに抽出された少なくとも１つのメッセージを表示し、
前記メッセージの特性は、グループチャットウィンドウでメッセージに添付されたコンテンツの種類又はグループチャットウィンドウでメッセージの重要度を含み、
前記ワークスペースは、前記グループチャットウィンドウの一部の領域に位置するように設定されるか、前記グループチャットウィンドウをオーバーレイするように設定されるか、又は、ユーザのリクエストに応じて前記グループチャットウィンドウからアクセス可能なページに設定される、メッセージ表示方法。
【請求項８】
前記メッセージの特性は、前記複数のチャット参加者のうち指定されたチャット参加者を含み、
前記メッセージを抽出するステップは、前記指定されたチャット参加者のメッセージを抽出する、請求項７に記載のメッセージ表示方法。
【請求項９】
前記メッセージの特性は、前記グループチャットウィンドウでメッセージが表示された時点を含み、
前記メッセージを抽出するステップは、前記時点の以前又は以後に表示されたメッセージを抽出する、請求項７に記載のメッセージ表示方法。
【請求項１０】
前記メッセージの特性は、前記グループチャットウィンドウでメッセージが表示された時間区間を含み、
前記メッセージを抽出するステップは、前記時間区間に表示されたメッセージを抽出する、請求項７に記載のメッセージ表示方法。
【請求項１１】
前記移動端末は、前記抽出された少なくとも１つのメッセージの外形的な特徴を変更してチャットウィンドウに表示する、請求項７に記載のメッセージ表示方法。
【請求項１２】
前記移動端末は、前記抽出された少なくとも１つのメッセージに下線、太字、斜体、文字の網かけ又は蛍光ペンの色を適用するか、又は抽出された少なくとも１つのメッセージのフォント、大きさ又は色を変更してチャットウィンドウに表示する、請求項１１に記載のメッセージ表示方法。
【請求項１３】
前記移動端末は、前記抽出された少なくとも１つのメッセージの表示領域を区別してチャットウィンドウに表示する、請求項７に記載のメッセージ表示方法。
【請求項１４】
インスタントメッセージングサービスに基づいて複数のメッセージを表示する移動端末であって、
複数のチャット参加者が参加するグループチャットウィンドウで区別して表示されるメッセージの特性を選択する選択部と、
前記グループチャットウィンドウに表示された複数のメッセージのうち選択されたメッセージの特性を有する少なくとも１つのメッセージを抽出する抽出部と、
前記グループチャットウィンドウのチャットヒストリーを維持しながら、前記グループチャットウィンドウに表示された複数のメッセージのうち、前記抽出された少なくとも１つのメッセージを他のメッセージと区別してグループチャットウィンドウに表示する表示部と、
を含み、
前記表示部は、前記グループチャットウィンドウと区別されるワークスペースに抽出された少なくとも１つのメッセージを表示し、
前記メッセージの特性は、グループチャットウィンドウでメッセージに添付されたコンテンツの種類又はグループチャットウィンドウでメッセージの重要度を含み、
前記ワークスペースは、前記グループチャットウィンドウの一部の領域に位置するように設定されるか、前記グループチャットウィンドウをオーバーレイするように設定されるか、又は、ユーザのリクエストに応じて前記グループチャットウィンドウからアクセス可能なページに設定される、移動端末。
【請求項１５】
前記メッセージの特性は、複数のチャット参加者のうち指定されたチャット参加者、グループチャットウィンドウでメッセージが表示された時点、グループチャットウィンドウでメッセージが表示された時間区間のうち少なくとも１つである、請求項１４に記載の移動端末。
【請求項１６】
インスタントメッセージングサービスに基づいて複数のメッセージを移動端末に送信するチャットサーバであって、
前記移動端末の複数のチャット参加者が参加するグループチャットウィンドウで区別して表示されるメッセージの特性を確認する確認部と、
前記グループチャットウィンドウに表示された複数のメッセージのうち確認されたメッセージの特性を有する少なくとも１つのメッセージを抽出する抽出部と、
前記抽出された少なくとも１つのメッセージに関する情報を移動端末に送信する送信部と、
を含み、
前記移動端末は、前記グループチャットウィンドウのチャットヒストリーを維持しながら、前記グループチャットウィンドウと区別されるワークスペースに抽出された少なくとも１つのメッセージを表示し、
前記メッセージの特性は、グループチャットウィンドウでメッセージに添付されたコンテンツの種類又はグループチャットウィンドウでメッセージの重要度を含み、
前記ワークスペースは、前記グループチャットウィンドウの一部の領域に位置するように設定されるか、前記グループチャットウィンドウをオーバーレイするように設定されるか、又は、ユーザのリクエストに応じて前記グループチャットウィンドウからアクセス可能なページに設定される、チャットサーバ。
【請求項１７】
前記メッセージの特性は、複数のチャット参加者のうち指定されたチャット参加者、グループチャットウィンドウでメッセージが表示された時点、グループチャットウィンドウでメッセージが表示された時間区間のうち少なくとも１つをさらに含む、請求項１６に記載のチャットサーバ。
【発明の詳細な説明】
【技術分野】
【０００１】
本発明は、抽出されたメッセージをチャットウィンドウに区別して表示するメッセージ表示方法と前記方法を行う移動端末及びチャットサーバに関する。
【背景技術】
【０００２】
昨今、携帯端末の普及率が急速に増加するにつれて携帯端末は現代人の生活必需品として位置づけられている。このような携帯端末は、固有の音声通話サービスだけではなく、データ送信に基づいたチャットサービスも提供されるようになった。チャットサービスは従来の１：１チャットのみならず複数のユーザとチャットできるグループチャットをサポートすることにより多くのユーザが利用している。そのため、携帯端末の機能のうちグループチャットを行うメッセンジャー機能の比重は次第に増加している傾向にある。
【０００３】
ただし、グループチャットの比重は高まっている一方、チャットサービスは従来の１：１チャットサービスの枠組みから大きく逸脱しない実情がある。すなわち、グループチャットは、従来における１：１チャットと異なって、多くのチャット参加者によりアップロードされるメッセージが表示される。それによって、多くのチャット参加者は多数のメッセージのうち有用な情報を探すため、チャットルームに表示された無数のメッセージをいちいち読まなければならない不便がある。
【０００４】
したがって、グループチャットウィンドウに表示される多数のメッセージのうち、チャット参加者にもっと有効でありながら、リクエストされるメッセージを即刻に分別することのできるユーザインターフェースが要求されている。
【発明の概要】
【発明が解決しようとする課題】
【０００５】
本発明は、グループチャットウィンドウのチャット参加者の間に送受信される複数のメッセージのうち、メッセージの特性に応じて少なくとも１つのメッセージを抽出した後、グループチャットウィンドウのチャットヒストリーを維持しながら他のメッセージと区別してグループチャットウィンドウに表示することで、グループチャットウィンドウのチャット参加者が即刻に認識又は認知する必要のあるメッセージを区別することのできるユーザインターフェースを提供する。
【０００６】
本発明は、グループチャット時にメッセージの特性に応じてメッセージの外形を変更したり、又は、別途のワークスペースにメッセージを表示したりすることで、グループチャットウィンドウのチャット参加者がチャットウィンドウに表示される多数のメッセージのうち重要メッセージを直ちに分別又は判別することのできるユーザインターフェースを提供する。
【課題を解決するための手段】
【０００７】
本発明の一実施形態に係る移動端末がインスタントメッセージングサービスに基づいて複数のメッセージを表示するメッセージ表示方法は、複数のチャット参加者が参加するグループチャットウィンドウで区別して表示されるメッセージの特性を選択するステップと、前記グループチャットウィンドウに表示された複数のメッセージのうち選択されたメッセージの特性を有する少なくとも１つのメッセージを抽出するステップと、前記グループチャットウィンドウのチャットヒストリーを維持しながら前記グループチャットウィンドウに表示された複数のメッセージのうち、前記抽出された少なくとも１つのメッセージを他のメッセージと区別してグループチャットウィンドウに表示するステップとを含む。
【０００８】
前記メッセージの特性は、前記複数のチャット参加者のうち指定されたチャット参加者を含み、前記少なくとも１つのメッセージを抽出するステップは、前記指定されたチャット参加者のメッセージを抽出し得る。
【０００９】
前記メッセージの特性は、前記グループチャットウィンドウでメッセージが表示された時点を含み、前記少なくとも１つのメッセージを抽出するステップは、前記時点の以前又は以後に表示されたメッセージを抽出し得る。
【００１０】
前記メッセージの特性は、前記グループチャットウィンドウでメッセージが表示された時間区間を含み、前記少なくとも１つのメッセージを抽出するステップは、前記時間区間に表示されたメッセージを抽出し得る。
【００１１】
前記メッセージの特性は、前記グループチャットウィンドウでメッセージの重要度を含み、前記少なくとも１つのメッセージを抽出するステップは、指定された重要度を示すメッセージを抽出し得る。
【００１２】
前記メッセージの特性は、前記グループチャットウィンドウでメッセージに添付されたコンテンツの種類を含み、前記少なくとも１つのメッセージを抽出するステップは、指定されたコンテンツの種類に対応するコンテンツが添付されたメッセージを抽出し得る。
【００１３】
前記グループチャットウィンドウに表示するステップは、前記抽出された少なくとも１つのメッセージの外形的な特徴を変更してグループチャットウィンドウに表示し得る。
【００１４】
前記グループチャットウィンドウに表示するステップは、前記抽出された少なくとも１つのメッセージに下線、太字、斜体、文字の網かけ又は蛍光ペンの色を適用するか、又は抽出された少なくとも１つのメッセージのフォント、大きさ又は色を変更してチャットウィンドウに表示し得る。
【００１５】
前記グループチャットウィンドウに表示するステップは、前記グループチャットウィンドウと区別されるワークスペースに抽出された少なくとも１つのメッセージを表示し、前記ワークスペースは、前記グループチャットウィンドウの一部の領域に位置するように設定されるか、前記グループチャットウィンドウにオーバーレイされるように設定されるか、又は、前記グループチャットウィンドウと別途のページに設定され得る。
【００１６】
本発明の一実施形態に係るチャットサーバがインスタントメッセージングサービスに基づいて複数のメッセージを移動端末に送信して表示するメッセージ表示方法は、前記移動端末の複数のチャット参加者が参加するグループチャットウィンドウで区別して表示されるメッセージの特性を確認するステップと、前記グループチャットウィンドウに表示された複数のメッセージのうち確認されたメッセージの特性を有する少なくとも１つのメッセージを抽出するステップと、前記抽出された少なくとも１つのメッセージに関する情報を移動端末に送信するステップとを含み、前記移動端末は、前記グループチャットウィンドウのチャットヒストリーを維持しながら、前記グループチャットウィンドウで複数のチャット参加者が作成したメッセージのうち前記少なくとも１つのメッセージに関する情報にマッチングするメッセージを他のメッセージと区別してグループチャットウィンドウに表示する。
【００１７】
前記メッセージの特性は、前記複数のチャット参加者のうち指定されたチャット参加者を含み、前記メッセージを抽出するステップは、前記指定されたチャット参加者のメッセージを抽出し得る。
【００１８】
前記メッセージの特性は、前記グループチャットウィンドウでメッセージが表示された時点を含み、前記メッセージを抽出するステップは、前記時点の以前又は以後に表示されたメッセージを抽出し得る。
【００１９】
前記メッセージの特性は、前記グループチャットウィンドウでメッセージが表示された時間区間を含み、前記メッセージを抽出するステップは、前記時間区間に表示されたメッセージを抽出し得る。
【００２０】
前記メッセージの特性は、前記グループチャットウィンドウでメッセージの重要度を含み、前記メッセージを抽出するステップは、指定された重要度を示すメッセージを抽出し得る。
【００２１】
前記メッセージの特性は、前記グループチャットウィンドウでメッセージに添付されたコンテンツの種類を含み、前記メッセージを抽出するステップは、指定されたコンテンツの種類に対応するコンテンツが添付されたメッセージを抽出し得る。
【００２２】
前記移動端末は、前記抽出された少なくとも１つのメッセージの外形的な特徴を変更してチャットウィンドウに表示し得る。
【００２３】
前記移動端末は、前記抽出された少なくとも１つのメッセージに下線、太字、斜体、文字の網かけ又は蛍光ペンの色を適用するか、又は抽出された少なくとも１つのメッセージのフォント、大きさ又は色を変更してチャットウィンドウに表示し得る。
【００２４】
前記移動端末は、前記抽出された少なくとも１つのメッセージの表示領域を区別してチャットウィンドウに表示し得る。
【００２５】
前記移動端末は、前記グループチャットウィンドウと区別されるワークスペースに抽出された少なくとも１つのメッセージを表示し、前記ワークスペースは、前記グループチャットウィンドウの一部の領域に位置するように設定されるか、前記グループチャットウィンドウにオーバーレイされるように設定されるか、又は、前記グループチャットウィンドウと別途のページに設定され得る。
【００２６】
本発明の一実施形態に係るインスタントメッセージングサービスに基づいて複数のメッセージを表示する移動端末は、複数のチャット参加者が参加するグループチャットウィンドウで区別して表示されるメッセージの特性を選択する選択部と、前記グループチャットウィンドウに表示された複数のメッセージのうち選択されたメッセージの特性を有する少なくとも１つのメッセージを抽出する抽出部と、前記グループチャットウィンドウのチャットヒストリーを維持しながら、前記グループチャットウィンドウに表示された複数のメッセージのうち、前記抽出された少なくとも１つのメッセージを他のメッセージと区別してグループチャットウィンドウに表示する表示部とを含む。
【００２７】
前記メッセージの特性は、複数のチャット参加者のうち指定されたチャット参加者、グループチャットウィンドウでメッセージが表示された時点、グループチャットウィンドウでメッセージが表示された時間区間、グループチャットウィンドウでメッセージの重要度又はグループチャットウィンドウでメッセージに添付されたコンテンツの種類のうち少なくとも１つであり得る。
【００２８】
前記表示部は、前記グループチャットウィンドウと区別されるワークスペースに抽出された少なくとも１つのメッセージを表示し、前記ワークスペースは、前記グループチャットウィンドウの一部の領域に位置するように設定されるか、前記グループチャットウィンドウにオーバーレイされるように設定されるか、又は、前記グループチャットウィンドウと別途のページに設定し得る。
【００２９】
本発明の一実施形態に係るインスタントメッセージングサービスに基づいて複数のメッセージを移動端末に送信するチャットサーバは、前記移動端末の複数のチャット参加者が参加するグループチャットウィンドウで区別して表示されるメッセージの特性を確認する確認部と、前記グループチャットウィンドウに表示された複数のメッセージのうち確認されたメッセージの特性を有する少なくとも１つのメッセージを抽出する抽出部と、前記抽出された少なくとも１つのメッセージに関する情報を移動端末に送信する送信部とを含み、前記移動端末は、前記グループチャットウィンドウのチャットヒストリーを維持しながら、前記グループチャットウィンドウで複数のチャット参加者が作成したメッセージのうち、前記少なくとも１つのメッセージに関する情報にマッチングするメッセージを他のメッセージと区別してグループチャットウィンドウに表示する。
【００３０】
前記メッセージの特性は、複数のチャット参加者のうち指定されたチャット参加者、グループチャットウィンドウでメッセージが表示された時点、グループチャットウィンドウでメッセージが表示された時間区間、グループチャットウィンドウでメッセージの重要度又はグループチャットウィンドウでメッセージに添付されたコンテンツの種類のうち少なくとも１つであり得る。
【００３１】
前記移動端末は、前記グループチャットウィンドウと区別されるワークスペースに抽出された少なくとも１つのメッセージを表示し、前記ワークスペースは、前記グループチャットウィンドウの一部の領域に位置するように設定されるか、前記グループチャットウィンドウにオーバーレイされるように設定されるか、又は、前記グループチャットウィンドウと別途のページに設定し得る。
【発明の効果】
【００３２】
本発明の一実施形態によると、グループチャットウィンドウのチャット参加者の間に送受信される複数のメッセージのうち、メッセージの特性に応じて少なくとも１つのメッセージを抽出した後、グループチャットウィンドウのチャットヒストリーを維持しながら他のメッセージと区別してグループチャットウィンドウに表示することで、グループチャットウィンドウのチャット参加者が即刻に認識又は認知する必要のあるメッセージを区別することができる。
【００３３】
本発明の一実施形態によると、グループチャット時にメッセージの特性に応じてメッセージの外形を変更したり、又は別途のワークスペースにメッセージを表示したりすることで、グループチャットウィンドウのチャット参加者がチャットウィンドウに表示される多数のメッセージのうち重要メッセージを直ちに分別又は判別することができる。
【図面の簡単な説明】
【００３４】
【図１】一実施形態に係るチャットサーバと連動される移動端末の細部構成を示す図である。
【図２】他の一実施形態に係る移動端末と連動されるチャットサーバの細部構成を示す図である。
【図３】一実施形態により抽出された少なくとも１つのメッセージの外形的な特徴を変更して表示するグループチャットウィンドウを示す図である。
【図４】一実施形態により抽出された少なくとも１つのメッセージの外形的な特徴を変更して表示するグループチャットウィンドウを示す図である。
【図５】一実施形態により抽出された少なくとも１つのメッセージの外形的な特徴を変更して表示するグループチャットウィンドウを示す図である。
【図６】一実施形態により抽出された少なくとも１つのメッセージの表示されるワークスペースを表示するグループチャットウィンドウを示す図である。
【図７】一実施形態により抽出された少なくとも１つのメッセージの表示されるワークスペースを表示するグループチャットウィンドウを示す図である。
【発明を実施するための形態】
【００３５】
以下、実施形態を添付する図面を参照しながら詳細に説明する。
【００３６】
図１は、一実施形態に係るチャットサーバと連動される移動端末の細部構成を示す図である。
【００３７】
移動端末１１０は、無線インターネット又は無線通信網などのネットワーク網を介してチャットサーバ１２０からインスタントメッセージングサービスの提供を受けることができる。そのため、移動端末１１０は、チャットサーバ１２０と連動するインスタントメッセージングサービスに基づいてチャットウィンドウに複数のメッセージを表示することができる。ここで、チャットウィンドウは、複数のチャット参加者がメッセージを作成するグループチャットウィンドウを含む。
ここで、チャットサーバ１２０は、移動端末１１０にチャットウィンドウに表示されるメッセージを送信する。すると、移動端末１１０は、グループチャットウィンドウに表示された複数のメッセージのうちメッセージの特性を有する少なくとも１つのメッセージを抽出した後、グループチャットウィンドウに表示された異なるメッセージと区別して表示し得る。
【００３８】
本発明にて記載されるメッセージは、移動端末１１０のグループチャットウィンドウに表示され得るテキストとして構成されたり、又は、リンク、イメージ、オーディオ又は動画などのコンテンツとして添付されてもよい。ただし、メッセージは、上述した内容に制限されることなく、グループチャットウィンドウに表示される全てのものを含むことができる。
【００３９】
移動端末１１０は、選択部１１１、抽出部１１２、及び表示部１１３を含む。
【００４０】
選択部１１１は、グループチャットウィンドウで区別して表示されるメッセージの特性を選択する。一例として、選択部１１１は、複数のチャット参加者のうち指定されたチャット参加者、グループチャットウィンドウでメッセージが表示された時点、グループチャットウィンドウでメッセージが表示された時間区間、グループチャットウィンドウでメッセージの重要度、又はグループチャットウィンドウでメッセージに添付されたコンテンツの種類のうち少なくとも１つを選択する。
【００４１】
ここで、指定されたチャット参加者は、グループチャットウィンドウに参加した複数のチャット参加者のうち少なくとも１つのチャット参加者であり得る。メッセージを抽出しようとする移動端末１００でチャット参加者を指定できる。例えば、グループチャットウィンドウに参加した複数のチャット参加者のうち、特定グループの管理者、特定グループの会計員などのグループチャットウィンドウに参加した複数のチャット参加者のうち重要な内容や公知事項を含むメッセージを作成したチャット参加者が主に指定される。
【００４２】
そして、メッセージが表示された時点は、グループチャットウィンドウでメッセージが表示された時点を意味する。グループチャットウィンドウに表示されたメッセージは、グループチャットウィンドウに表示されるときの時点を有する。
【００４３】
メッセージが表示された時間区間は、メッセージが表示された時点に関する。時間区間は、メッセージが表示された第１時点と第２時点との間の時間を意味する。
【００４４】
グループチャットウィンドウでメッセージの重要度は、メッセージを作成するチャット参加者が設定する。
【００４５】
グループチャットウィンドウでメッセージに添付されたコンテンツの種類は、メッセージがテキストではない別の形態のコンテンツ（ｅｘ．動画、イメージ、音声など）が添付されたメッセージでコンテンツの種類を意味する。
【００４６】
抽出部１１２は、グループチャットウィンドウに表示された複数のメッセージのうち選択されたメッセージの特性を有する少なくとも１つのメッセージを抽出する。
【００４７】
一例として、メッセージの特性が複数のチャット参加者のうち指定されたチャット参加者である場合、抽出部１１２は、グループチャットウィンドウに表示された複数のメッセージのうち指定されたチャット参加者のメッセージを抽出する。ここで、抽出部１１２は、現在のグループチャットウィンドウに表示されたメッセージだけではなく、現在グループチャットウィンドウに表示されてはいないが、以後に指定されたチャット参加者のメッセージがグループチャットウィンドウに表示されるごとに指定されたチャット参加者のメッセージを抽出し得る。
【００４８】
他の一例として、メッセージの特性がグループチャットウィンドウでメッセージが表示された時点である場合、抽出部１１２は、時点の以前又は以後にグループチャットウィンドウに表示されたメッセージを抽出する。ここで、グループチャットウィンドウに表示された時点が具体的な特定時点に設定されている場合、抽出部１１２は、（１）設定された特定時点に表示されたメッセージのみを抽出したり、（２）設定された特定時点以前に表示されたメッセージを抽出したり、又は（３）設定された特定時点以後に表示されたり、又は表示されるメッセージを抽出し得る。
【００４９】
具体的な実施形態として、チャット参加者は午後５：１２時点のみをメッセージの特性として選択した場合、グループチャットウィンドウに午後５：１２に表示されたメッセージのみが抽出される。そして、チャット参加者が午後５：１２以前をメッセージの特性として選択した場合、午後５：１２以前に表示されたメッセージが抽出される。そして、チャット参加者が午後５：１２以後をメッセージの特性として選択した場合、午後５：１２以前に表示されたメッセージが抽出される。
【００５０】
そして、メッセージの特性がグループチャットウィンドウでメッセージが表示された時間区間である場合、抽出部１１２は、時間区間に含まれるメッセージを抽出する。例えば、チャット参加者は、午前０９：００から午前１０：００までの時間区間をメッセージの特性を選択する。ここで、抽出部１１２は、グループチャットウィンドウに表示された複数のメッセージのうち、グループチャットウィンドウに表示された時点が午前０９：００から午前１０：００の間であるメッセージを抽出し得る。
【００５１】
更なる一例として、メッセージの特性がグループチャットウィンドウでメッセージの重要度である場合、抽出部１１２は、グループチャットウィンドウに表示された複数のメッセージのうちメッセージの重要度に対応するメッセージを抽出する。具体的に、グループチャットウィンドウに参加したチャット参加者は、他の参加者が注意深く確認しなければならないメッセージに対して「重要」ｏｒ「緊急」のようにメッセージに重要度を設定し得る。
【００５２】
更なる一例として、選択されたメッセージの特性がグループチャットウィンドウでメッセージに添付されたコンテンツの種類である場合、抽出部１１２は、選択されたコンテンツの種類に対応するメッセージを抽出する。ここで、抽出部１１２は、現在のグループチャットウィンドウに表示されている該当コンテンツの種類に対応するメッセージを抽出し得る。また、抽出部１１２は、現在グループチャットウィンドウに表示されていないが、該当コンテンツの種類に対応するメッセージがグループチャットウィンドウに表示されるごとに該当コンテンツの種類に対応するメッセージを抽出し得る。
【００５３】
表示部１１３は、グループチャットウィンドウのチャット参加者の間に送受信される複数のメッセージのうち、抽出された少なくとも１つのメッセージを他のメッセージと区別してグループチャットウィンドウに表示する。
【００５４】
一例として、表示部１１３は、抽出された少なくとも１つのメッセージの外形的な特徴を変更してグループチャットウィンドウに表示する。言い換えれば、表示部１１３は、メッセージの特性に応じて抽出された少なくとも１つのメッセージを他のメッセージと外形的に区別するようにグループチャットウィンドウに表示し得る。すなわち、表示部１１３は、メッセージの外形的な特徴を直接的に変更することで、グループチャットウィンドウからメッセージが注目されるようにすることができる。
【００５５】
具体的に、表示部１１３は、抽出された少なくとも１つのメッセージに下線、太字、斜体、文字の網かけ又は蛍光ペンの色などを適用するか、又は抽出された少なくとも１つのメッセージのフォント、大きさ又は色などを変更してグループチャットウィンドウに表示し得る。
【００５６】
そして、表示部１１３は、グループチャットウィンドウでメッセージの特性に応じて抽出された少なくとも１つのメッセージに対応する吹き出しの外形的な特徴を変更してグループチャットウィンドウに表示する。例えば、表示部１１３は、グループチャットウィンドウでメッセージの特性に応じて抽出された少なくとも１つのメッセージに対応する吹き出しの色、枠の太さなどを変更してグループチャットウィンドウに表示し得る。
【００５７】
他の一例として、表示部１１３は、グループチャットウィンドウと区別されるワークスペースにメッセージの特性に応じて抽出された少なくとも１つのメッセージを表示する。すなわち、表示部１１３は、メッセージの特性に応じて抽出された少なくとも１つのメッセージの表示領域を他のメッセージと区別してグループチャットウィンドウに表示し得る。この場合、グループチャットウィンドウに表示されたメッセージから構成されたチャットヒストリーはそのまま維持され、メッセージの特性に応じて抽出された少なくとも１つのメッセージのみがグループチャットウィンドウと別途のワークスペースに表示される。言い換えれば、表示部１１３は、メッセージの特性に応じて抽出された少なくとも１つのメッセージを現在に表示されているグループチャットウィンドウと区別される領域に表示し得る。
【００５８】
ここで、ワークスペースは、メッセージの特性に応じて抽出された少なくとも１つのメッセージが表示される領域を意味する。一例として、ワークスペースは、グループチャットウィンドウの一部の領域に位置するように設定されたり、グループチャットウィンドウにオーバーレイされるように設定されたり、又は、グループチャットウィンドウと別途のページに設定されてもよい。
【００５９】
ここで、グループチャットウィンドウの一部の領域は、現在に表示されているグループチャットウィンドウと区別される領域を意味する。一例として、一部の領域は、現在に表示されているグループチャットウィンドウと同時に表示される領域として、グループチャットウィンドウの上端部、下端部、左側又は右側に配置する領域を意味する。
【００６０】
また、ワークスペースがオーバーレイされることは、チャットヒストリーが維持されるグループチャットウィンドウのレイヤの上端部に位置するレイヤにワークスペースが位置することを意味する。このようなワークスペースがオーバーレイされる位置は、グループチャットウィンドウの特定位置に設定される。そして、その後にチャット参加者によってその位置が変更され得る。
【００６１】
一方、ワークスペースは、チャット参加者の設定に応じて透明度が調整される。また、ワークスペースのサイズもチャット参加者の設定に応じて調整される。グループチャットウィンドウにオーバーレイされたワークスペースは、チャット参加者の入力により追加されたり、又は、フェイドアウト（ｆａｄｅ−ｏｕｔ）するように消えたりしてもよい。
【００６２】
又は、メッセージの特性に応じて抽出されたメッセージは、グループチャットウィンドウと別途のページに設定されたワークスペースに表示される。ここで、ページは、ユーザがグループチャットウィンドウでスワイプしたり、別途のメニューアイコンを選択したりすることでアクセス可能になる。
【００６３】
上記で記載したワークスペースは、メッセージの特性が選択された後に自動的に表示される。又は、ワークスペースは、チャット参加者からメッセージの特性が選択されても特定入力を受けた後に表示されてもよい。例えば、チャット参加者から入力される特定入力は、移動端末のディスプレイ上で行われるユーザの特定の手動作（例えば、スイーピング、ドラッグ、タップ）又は移動端末そのものに適用されるユーザの動作（例えば、移動端末の揺さぶりなど）を含む。
【００６４】
ワークスペースに表示されるメッセージは一時的には注目を浴びるが、グループチャットウィンドウのチャット内容が表示されたチャットヒストリーを遮ることがある。したがって、ワークスペースに表示されたメッセージは表示された後に一定時間が経過した後は自動的に消えるか、又はチャット参加者から特定の入力を受け付けた後に消える。
【００６５】
図２は、他の一実施形態に係る移動端末と連動されるチャットサーバの細部構成を示す図である。
【００６６】
ここで、図２を参照して説明する一実施形態は、メッセージの特性を有する少なくとも１つのメッセージを抽出する過程がチャットサーバ２２０で実行されることを示す。すると、移動端末２１０は、チャットサーバ２２０から受信した抽出された少なくとも１つのメッセージに関する情報に基づいて抽出された少なくとも１つのメッセージを区別してグループチャットウィンドウに表示する。
【００６７】
チャットサーバ２２０は、確認部２２１、抽出部２２２、及び送信部２２３を含む。
【００６８】
確認部２２１は、移動端末のグループチャットウィンドウで区別して表示されるメッセージの特性を確認する。一例として、確認部２２１は、複数のチャット参加者のうち指定されたチャット参加者、グループチャットウィンドウでメッセージが表示された時点、グループチャットウィンドウでメッセージが表示された時間区間、グループチャットウィンドウでメッセージの重要度、又はグループチャットウィンドウでメッセージに添付されたコンテンツの種類のうち少なくとも１つを含むメッセージの特性を確認できる。メッセージの特性に関する説明は、図1を参照してすでに説明したため、これに関する説明は省略することにする。
【００６９】
一例として、メッセージの特性が複数のチャット参加者のうち指定されたチャット参加者である場合、抽出部２２２は、グループチャットウィンドウに表示された複数のメッセージのうち指定されたチャット参加者のメッセージを抽出する。ここで、抽出部２２２は、現在のグループチャットウィンドウに表示されたメッセージだけではなく、現在のグループチャットウィンドウに表示されてはいないが、後に指定されたチャット参加者のメッセージがグループチャットウィンドウに表示されるごとに指定されたチャット参加者のメッセージを抽出し得る。
【００７０】
他の一例として、メッセージの特性がグループチャットウィンドウでメッセージが表示された時点である場合、抽出部２２２は、時点の以前又は以後にグループチャットウィンドウに表示されたメッセージを抽出する。ここで、グループチャットウィンドウに表示された時点が具体的な特定時点と設定される場合、抽出部２２２は、（１）設定された特定時点に表示されたメッセージのみを抽出したり、（２）設定された特定時点以前に表示されたメッセージを抽出したり、又は（３）設定された特定時点以後に表示されたり、又は表示されるメッセージを抽出し得る。
【００７１】
更なる一例として、メッセージの特性がグループチャットウィンドウでメッセージの重要度である場合、抽出部２２２は、グループチャットウィンドウに表示された複数のメッセージのうちメッセージの重要度に対応するメッセージを抽出する。具体的に、グループチャットウィンドウに参加したチャット参加者は、他の参加者が注意深く確認しなければならないメッセージに対して「重要」ｏｒ「緊急」のようにメッセージに重要度を設定し得る。
【００７２】
更なる一例として、選択されたメッセージの特性がグループチャットウィンドウでメッセージに添付されたコンテンツの種類である場合、抽出部２２２は、選択されたコンテンツの種類に対応するメッセージを抽出する。ここで、抽出部２２２は、現在のグループチャットウィンドウに表示されている該当コンテンツの種類に対応するメッセージを抽出し得る。また、抽出部１１２は、現在のグループチャットウィンドウに表示されてはいないが、該当コンテンツの種類に対応するメッセージがグループチャットウィンドウに表示されるごとに該当コンテンツの種類に対応するメッセージを抽出し得る。
【００７３】
送信部２２３は、抽出された少なくとも１つのメッセージに関する情報を移動端末２１０に送信する。
【００７４】
メッセージに関する情報は、メッセージの特性に応じて抽出された少なくとも１つのメッセージ又は抽出された少なくとも１つのメッセージを示す指示子である。ここで、移動端末２１０は、抽出された少なくとも１つのメッセージに関する情報を受信すれば、チャット参加者の間に送受信される複数のメッセージのうちメッセージに関する情報に対応する少なくとも１つのメッセージを区別してグループチャットウィンドウに表示する。
【００７５】
一例として、移動端末２１０は、抽出された少なくとも１つのメッセージの外形的な特徴を変更してグループチャットウィンドウに表示する。言い換えれば、移動端末２１０はメッセージの特性に応じて抽出された少なくとも１つのメッセージを他のメッセージと外形的に区別されるようグループチャットウィンドウに表示し得る。すなわち、表示部１１３は、メッセージの外形的な特徴を直接的に変更することで、グループチャットウィンドウでメッセージが注目されるようにすることができる。
【００７６】
具体的に、移動端末２１０は、抽出された少なくとも１つのメッセージに下線、太字、斜体、文字の網かけ又は蛍光ペンの色などを適用するか、又は抽出された少なくとも１つのメッセージのフォント、大きさ又は色などを変更してグループチャットウィンドウに表示する。
【００７７】
そして、移動端末２１０は、グループチャットウィンドウでメッセージの特性に応じて抽出された少なくとも１つのメッセージに対応する吹き出しの外形的な特徴を変更してグループチャットウィンドウに表示する。例えば、表示部１１３は、グループチャットウィンドウでメッセージの特性に応じて抽出された少なくとも１つのメッセージに対応する吹き出しの色、枠の太さなどを変更してグループチャットウィンドウに表示する。
【００７８】
他の一例として、移動端末２１０は、グループチャットウィンドウと区別されるワークスペースにメッセージの特性に応じて抽出された少なくとも１つのメッセージを表示する。すなわち、移動端末２１０は、メッセージの特性に応じて抽出された少なくとも１つのメッセージの表示領域を他のメッセージと区別してグループチャットウィンドウに表示し得る。
【００７９】
この場合、グループチャットウィンドウに表示されたメッセージで構成されたチャットヒストリーはそのまま維持され、メッセージの特性に応じて抽出された少なくとも１つのメッセージのみがグループチャットウィンドウと別途のワークスペースに表示される。
【００８０】
ここで、ワークスペースは、メッセージの特性に応じて抽出された少なくとも１つのメッセージが表示される領域を意味する。一例として、ワークスペースは、グループチャットウィンドウの一部の領域に位置するように設定されたり、グループチャットウィンドウにオーバーレイされるように設定されたり、又は、グループチャットウィンドウと別途のページに設定されてもよい。
【００８１】
ここで、一部の領域は、現在に表示されているグループチャットウィンドウと区別される領域を意味する。一例として、一部の領域は、現在に表示されているグループチャットウィンドウと同時に表示される領域として、グループチャットウィンドウの上端部、下端部、左側又は右側に配置される領域を意味する。
【００８２】
また、ワークスペースがオーバーレイされることは、チャットヒストリーが維持されるグループチャットウィンドウのレイヤの上端部に位置するレイヤにワークスペースが位置することを意味する。このようなワークスペースがオーバーレイされる位置は、グループチャットウィンドウの特定位置に設定される。そして、その後にチャット参加者によってその位置が変更され得る。
【００８３】
一方、ワークスペースは、チャット参加者の設定に応じて透明度が調整される。また、ワークスペースのサイズもチャット参加者の設定に応じて調整される。グループチャットウィンドウにオーバーレイされたワークスペースは、チャット参加者の入力によって追加されたり、又はフェイドアウトするように消えたりしてもよい。
【００８４】
又は、メッセージの特性に応じて抽出されたメッセージは、グループチャットウィンドウと別途のページに設定されたワークスペースに表示される。ここで、ページは、ユーザがグループチャットウィンドウでスワイプしたり別途のメニューアイコンを選択したりすることでアクセス可能になる。
【００８５】
上記に記載したワークスペースは、メッセージの特性が選択された後に自動的に表示される。又は、ワークスペースは、チャット参加者からメッセージの特性が選択されても特定入力を受けた後に表示され得る。例えば、チャット参加者から入力される特定入力は、移動端末のディスプレイ上で行われるユーザの特定の手動作（例えば、スイーピング、ドラッグ、タップ）又は移動端末そのものに適用されるユーザの動作（例えば、移動端末の揺さぶりなど）を含む。
【００８６】
ワークスペースに表示されるメッセージは一時的に注目をあびるが、グループチャットウィンドウのチャット内容が表示されたチャットヒストリーを遮ることがある。したがって、ワークスペースに表示されたメッセージは、表示された後一定時間が経過してから自動的に消えるか、又はチャット参加者から特定入力を受けた後に消えてもよい。
【００８７】
前述した内容は、グループチャットウィンドウに関するワークスペースに直接メッセージが表示されることを示す。ただし、本発明の一実施形態によると、グループチャットウィンドウごとに別途のフォルダが指定される。すると、チャット参加者がメッセージの特性を選択すれば、グループチャットウィンドウに表示された複数のメッセージのうちメッセージの特性に応じてメッセージが抽出される。そして、抽出されたメッセージは、ワークスペースに表示されると共に、又は独立的にグループチャットウィンドウごとに設定された別途のフォルダに格納され得る。
【００８８】
このようなフォルダは、メッセージの特性が選択された時点ごとに個別的に生成される。例えば、チャット参加者が午前１０時にメッセージの特性を選択した場合、午後２時にメッセージの特性を選択した場合、該当グループチャットウィンドウに対して午前１０時と午後２時に該当するフォルダがそれぞれ生成される。
【００８９】
又は、チャット参加者によって選択されたメッセージの特性に応じて個別的に生成される。例えば、チャット参加者がグループチャットウィンドウに参加した特定チャット参加者を指定し、コンテンツの種類をイメージとして選択した場合、指定されたチャット参加者に対するフォルダとイメージに対するフォルダとがそれぞれ生成され得る。一方、複数のチャット参加者が指定された場合、チャット参加者ごとに互いに異なるフォルダが生成される。また、メッセージに添付されたコンテンツの種類がイメージ、動画、音声の全てが選択された場合にコンテンツの種類ごとに互いに異なるフォルダが生成される。
【００９０】
図３〜図５は、一実施形態により抽出された少なくとも１つのメッセージの外形的な特徴を変更して表示するグループグループチャットウィンドウを示す図である。
【００９１】
図３は、グループチャットが行われているグループチャットウィンドウ３１０とメッセージの特性に応じて抽出されたメッセージの外形的な特徴が変更されているグループチャットウィンドウ３２０を示す。図３において、メッセージの特性に応じて抽出されたメッセージの外形的な特徴が変更されても、グループチャットウィンドウのチャットヒストリーはそのまま維持される。メッセージの外形的な特徴が変更されることは、グループチャットウィンドウに参加した複数のチャット参加者が該当のメッセージを注意深く見ることができるよう、該当メッセージを他のメッセージとは相違を強調したり、又は目立つようにして表示することを意味する。
【００９２】
一例として、メッセージの特性がグループチャットに参加した複数のチャット参加者のうち少なくとも１つのチャット参加者であり得る。
【００９３】
例えば、図３に示すようにメッセージの特性がチャット参加者Ａの場合、グループチャットウィンドウでチャット参加者Ａが表示したメッセージに下線が適用される。図３に示すように、チャット参加者Ａによって送信されたメッセージがチャット内容のようなテキスト形態である場合、テキストに下線が適用される。
【００９４】
これによって、グループチャットでチャット参加者Ａが入力したチャット内容に下線が適用されることで、チャット参加者Ａを除いた他のチャット参加者Ｂ、Ｃ、Ｄはチャット参加者Ａのチャット内容に注目することができる。
【００９５】
また、図３に図示していないが、メッセージの特性が特定時点である場合について説明する。
【００９６】
例えば、午後３：１２時点がメッセージの特性として設定される場合、グループチャットウィンドウ３２０は午後３：１２に表示されたメッセージに下線を適用する。また、午後３：１２以前がメッセージの特性として設定される場合、グループチャットウィンドウ３２０は午後３：１２以前に表示された全てのメッセージ（すなわち、午後３：０９、３：１１、３：１２に表示されたメッセージ）に下線を適用する。また、午後３：１２以後がメッセージの特性として設定される場合、グループチャットウィンドウ３２０は午後３：１２以後に表示された全てのメッセージ（すなわち、午後３：１２、３：１３、３：１６に表示されたメッセージ）に下線を適用する。ここで、グループチャットウィンドウ３２０は、現在のグループチャットウィンドウに表示されてはいないが、これから表示されるメッセージに下線を適用することができる。
【００９７】
他の例として、午後３：１１から午後３：１３までの特定区間がメッセージの特性として設定される場合、グループチャットウィンドウ３２０は、午後３：１１から午後３：１３の間に表示されたメッセージに下線を適用する。
【００９８】
ここでは、実施形態として下線が適用される場合について説明したが、これに制限されることなく、抽出されたメッセージに下線以外に太字、斜体、文字の網かけ又は蛍光ペンの色などが適用されてもよい。
【００９９】
図４は、選択されたメッセージの特性がチャット参加者Ａである場合、メッセージの特性に応じて抽出されたメッセージのフォントが変更されている状態を示す。すなわち、メッセージの特性に応じて、抽出されたチャット参加者Ａが提供したメッセージのフォントが変更されてグループチャットウィンドウに表示される。
【０１００】
図５は、選択されたメッセージの特性がメッセージに添付されたコンテンツの種類である場合を示す。具体的に、図５は、コンテンツの種類がイメージである場合を示す。メッセージの特性に応じて、イメージが添付されたメッセージが抽出される。すると、抽出されたメッセージの吹き出しの外形的な特徴が変更されている状態を示す。すなわち、メッセージの特性に応じて抽出されたイメージに対応する吹き出しの枠の太さが変更されてグループチャットウィンドウに表示される。又は、イメージが添付されたメッセージが抽出されれば、イメージがグループチャットウィンドウ５２０で大きく拡大して表示される。又は、イメージが添付されたメッセージが抽出されれば、該当イメージが拡大した後にスライド形態に連続して表示され得る。
【０１０１】
もし、コンテンツの種類が動画である場合は動画が挿入されたメッセージが抽出され得る。すると、グループチャットウィンドウ５２０でメッセージに挿入された動画が自動再生して表示される。また、グループチャットウィンドウ５２０に表示されていないが、以後から表示されるイメージは吹き出しの枠の太さが変更された状態にグループチャットウィンドウ５２０に表示され得る。
【０１０２】
図６及び図７は、一実施形態により抽出された少なくとも１つのメッセージの表示されるワークスペースを表示するグループグループチャットウィンドウを示す図である。
【０１０３】
図６は、選択されたメッセージの特性がチャット参加者Ａである場合、メッセージの特性に応じて抽出されたメッセージがワークスペースに表示されたことを示す。特に、図６に示す場合、ワークスペースがグループチャットウィンドウの一部の領域に表示されている状態を示す。
【０１０４】
チャット参加者Ａのメッセージは、抽出されてグループチャットウィンドウの一部の領域に設定されたワークスペースに表示される。すなわち、移動端末は、メッセージの特性に応じて抽出されたチャット参加者Ａのメッセージをグループチャットウィンドウ６２０の上端部に位置するワークスペースに表示することができる。
【０１０５】
また、移動端末は、グループチャットウィンドウ６２０で現在表示されているチャット参加者Ａのメッセージだけではなく、現在に表示されていないがチャット参加者Ａのメッセージがグループチャットウィンドウに表示されるごとにチャット参加者Ａのメッセージをグループチャットウィンドウ６２０の上端部に位置するワークスペースに表示し得る。
【０１０６】
図７は、選択されたメッセージの特性がコンテンツの種類である場合を示す。ここで、コンテンツの種類はイメージであり得る。すると、移動端末は、メッセージの特性に応じてグループチャットウィンドウ７２０に存在する複数のメッセージのうちにイメージが添付されたメッセージを抽出し、抽出されたメッセージをワークスペースに表示する。特に、図７は、メッセージの特性に応じて抽出されたメッセージが、チャットヒストリーが維持されているグループチャットウィンドウ７２０にオーバーレイされたワークスペースに表示されている状態を示す。
【０１０７】
メッセージの特性がコンテンツの種類であるイメージに選択されれば、移動端末は、イメージが添付されたメッセージを抽出した後にグループチャットウィンドウ７２０にオーバーレイされたワークスペースに抽出されたメッセージを表示する。
【０１０８】
ここで、グループチャットウィンドウ７２０にオーバーレイされたワークスペースに対する透明度はチャット参加者のリクエストに応じて調整され得る。また、ワークスペースのサイズ、ワークスペースがオーバーレイされる時間間隔、ワークスペースの位置もチャット参加者のリクエストに応じて調整され得る。
【０１０９】
一方、グループチャットウィンドウ７２０にオーバーレイされたワークスペースは、グループチャットウィンドウ７２０に維持されているチャットヒストリーを遮るため、ワークスペースは、チャット参加者のリクエスト又は一定時間が経過すれば消える。
【０１１０】
ここで、チャット参加者のリクエストは、ワークスペースに対してチャット参加者がスワイプしたり特定パターンにタブを行ったり、指定されたボタンが選択されたり、又は特定の手動作／音声を入力することを含む。
【０１１１】
図３〜図７に示す例示について説明すると、メッセージの特性に応じて抽出されたメッセージがグループチャットウィンドウに表示されたチャットヒストリーから除外されることはない。すなわち、メッセージの抽出に関わらず、グループチャットウィンドウでチャット参加者が送受信したメッセージを含むチャットヒストリーは続けてグループチャットウィンドウに維持される。ただし、メッセージの特性に応じて抽出されたメッセージは、臨時的又は永久的にグループチャットウィンドウの一部の領域に位置するワークスペース、グループチャットウィンドウにオーバーレイされたワークスペース、又はグループチャットウィンドウと別に存在するページに位置するワークスペースに表示され得る。
【０１１２】
以上述した装置は、ハードウェア構成要素、ソフトウェア構成要素、又はハードウェア構成要素及びソフトウェア構成要素の組合せで具現される。例えば、本実施形態で説明した装置及び構成要素は、例えば、プロセッサ、コントローラ、ＡＬＵ（Arithmetic Logic Unit）、デジタル信号プロセッサ（Digital Signal Processor）、マイクロコンピュータ、ＦＰＡ（Field Programmable Array）、ＰＬＵ（Programmable Logic Unit）、マイクロプロセッサー、又は命令（instruction）を実行して応答する異なる装置のように、１つ以上の汎用コンピュータ又は特殊目的コンピュータを用いて具現される。処理装置は、オペレーティングシステム（ＯＳ）及びオペレーティングシステム上で行われる１つ以上のソフトウェアアプリケーションを実行する。また、処理装置は、ソフトウェアの実行に応答してデータをアクセス、格納、操作、処理、及び生成する。理解の便宜のために、処理装置は１つが使用されるものとして説明する場合もあるが、当該技術分野で通常の知識を有する者は、処理装置が複数の処理要素（processing element）及び／又は複数類型の処理要素を含むことが分かる。例えば、処理装置は、複数のプロセッサ又は１つのプロセッサ及び１つのコントローラを含む。また、並列プロセッサ（parallel processor）のような、他の処理構成も可能である。
【０１１３】
ソフトウェアは、コンピュータプログラム、コード、命令、又はこれらのうちの１つ以上の組合せを含み、希望通りに動作するように処理装置を構成し、独立的又は結合的に処理装置に命令する。ソフトウェア及び／又はデータは、処理装置によって解釈され、処理装置に命令又はデータを提供するためのあらゆる類型の機械、構成要素、物理的装置、仮想装置、コンピュータ格納媒体又は装置、或いは送信される信号波を介して永久的又は一時的に具現化される。ソフトウェアは、ネットワークに接続されたコンピュータシステム上に分散され、分散された方法で格納されるか又は実行される。ソフトウェア及びデータは１つ以上のコンピュータ読み取り可能な記録媒体に格納される。
【０１１４】
本実施形態に係る方法は、多様なコンピュータ手段を介して実施されるプログラム命令の形態で具現され、コンピュータ読み取り可能な記録媒体に記録される。記録媒体は、プログラム命令、データファイル、データ構造などを単独又は組合せて含む。記録媒体及びプログラム命令は、本発明の目的のために特別に設計して構成されたものでもよく、コンピュータソフトウェア分野の技術を有する当業者にとって公知のものであり使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置を含む。プログラム命令の例としては、コンパイラによって生成されるような機械語コードだけでなく、インタプリタなどを用いてコンピュータによって実行される高級言語コードを含む。ハードウェア装置は、本発明の動作を実行するために１つ以上のソフトウェアモジュールとして作動するように構成してもよく、その逆も同様である。
【０１１５】
以上、本発明の実施形態について図面を参照しながら詳細に説明したが、本発明は、上述の実施形態に限定されるものではなく、本発明の技術的範囲から逸脱しない範囲内で多様に変更実施することが可能である。例えば、説明された技術が説明された方法と異なる順に実行されたり、及び/又は説明されたシステム、構造、装置、回路などの構成要素が説明された方法と異なる形態に結合又は組合わせられたり、他の構成要素又は均等物によって置き換えたり置換されても適切な結果を達成することができる。したがって、他の具現、他の実施形態、及び特許請求の範囲と均等なものも後述する特許請求の範囲に属する。
【符号の説明】
【０１１６】
１１０：移動端末
１１１：選択部
１１２：抽出部
１１３：表示部
１２０：チャットサーバ
【図１】
0006475258.tif 000002
【図２】
0006475258.tif 000003
【図３】
0006475258.tif 000004
【図４】
0006475258.tif 000005
【図５】
0006475258.tif 000006
【図６】
0006475258.tif 000007
【図７】
0006475258.tif 000008